(57)【要約】      （修正有）【課題】紙片の左辺を裏表紙又は表表紙の左辺に配したクリップ金具で挟持保持するタイプのファイルにおいて、ファイルを縦にして保管する際又は持ち運ぶ際等に、綴じた紙片の右辺側が重量で垂れ下がり、または落下することのないファイルを提供する。【解決手段】表表紙１ａ、背表紙１ｂ及び裏表紙１ｃからなるファイル本体１と、ファイル本体１の裏表紙１ｃ内面の左辺中央に取り付けたクリップ金具２と、裏表紙１ｃ内面の右下隅に配した帯状支持部材３とからなる。帯状支持部材３は、二つの脚部３ａ、３ａと、その上端間を接続する上側支持部３ｂとからなり、これらは帯状の透明プラスチックシートで一体に構成したものである。脚部３ａ、３ａは、その下端を、裏表紙１ｃの右下隅の右辺と下辺とに接続し、上側支持部３ｂは右辺と下辺との間に斜めに位置するようにしてある。脚部３ａは、その中間部に折線３ａ１を備え、折畳可能になっている。【選択図】図３
0003178546.tif 000002
【実用新案登録請求の範囲】
【請求項１】
表表紙、背表紙及び裏表紙からなるファイル本体と、
前記ファイル本体の裏表紙又は表表紙の内面の左辺に配したクリップ金具と、
前記裏表紙内面の右下隅に、該右下隅を構成する右辺の途中と下辺の途中とに両端部を接続して配する帯状支持部材であって、前記クリップ金具で左辺を挟持保持されたファイル対象紙片の右下隅を受け入れて支持する帯状支持部材と、
で構成したファイル。
【請求項２】
前記帯状支持部材を、裏表紙内面の右下隅における、右辺の途中から立ち上がる脚部と、下辺の途中から立ち上がる脚部と、両脚部の上端から連続する上側支持部とで構成した請求項１のファイル。
【請求項３】
前記帯状支持部材を、裏表紙内面の右下隅における、下辺の途中から立ち上がる脚部と、該脚部の上端から延長し、他端を右辺の途中に接続した上側支持部とで構成した請求項１のファイル。
【請求項４】
前記帯状支持部材を透明のプラスチックフィルム又は透明のプラスチックシートで構成した請求項１、２又は３のファイル。
【考案の詳細な説明】
【技術分野】
【０００１】
本考案は、ファイル対象紙片の左辺を、裏表紙又は表表紙内面の左辺に配したクリップ金具で挟持して綴じるタイプのファイルにおいて、該ファイルを縦にして保管する際又は持ち運ぶ際などに、以上のように、該ファイルに左辺で片持ち状態に綴じられたファイル対象紙片がその重量により右辺側から下降し、曲がってしまい、場合によっては落下するに至る問題を回避できるファイルに関するものである。
【背景技術】
【０００２】
このようなファイルに関連する先行技術として特許文献１を見出した。
特許文献１は、レバーファイルに関し、これは、ファイル表紙に書類を挟み込んで綴じるレバー式のクリップ金具が取り付けられているレバーファイルにおいて、前記ファイル表紙には、前記クリップ金具の取り付け面と同じ面内の少なくとも２隅に平面視ほぼＬ字形をした書類脱落防止用の位置規制片が固定されているものである。また前記位置規制片には、前記クリップ金具によって綴じられる書類の厚さに応じて、着脱することができる積層用位置規制片を配することができるものでもある。
【０００３】
従ってこの特許文献１のレバーファイルによれば、ファイル対象の書類をレバー式のクリップ金具で綴じた場合に、その四隅のうちの少なくとも二隅にＬ字形の位置規制片を配したものであるため、綴じた書類の量が多くても、それらの書類は、ファイル表紙上の所定の位置に位置決めされ、クリップ金具から不意に外れて脱落してしまうのを回避することができるとされる。
【０００４】
しかし、この特許文献１の位置規制片は、前記のように、Ｌ字形の部材であり、規制対象の書類の隅部を外面側から規制することはできない。それ故、この特許文献１の図面に示されているように、前記クリップ金具を裏表紙の左辺に設けた場合には、表表紙で外面側からしっかりとカバーしておかなければ、綴じられている書類は、レバーファイルの向きによっては、裏表紙から離間することもあり、そうすれば、該位置規制片による規制から離脱し、脱落するおそれが生じると思われる。また位置規制片は、四隅の内の二隅に設置するものであり、その二隅が上辺両端であったり、左辺の上下端であったりした場合には、該レバーファイルを立てた場合に、位置規制片は殆ど役に立たず、多量の書類を綴じた場合で、クリップ金具のバネ荷重がその量に対応する十分なものではない場合には、容易に書類の落下が生じてしまう虞がある。
【先行技術文献】
【特許文献】
【０００５】
【特許文献１】実用新案登録第３０９９６９２号公報
【考案の概要】
【考案が解決しようとする課題】
【０００６】
本考案は、ファイル対象紙片の左辺を、裏表紙又は表表紙の左辺に配したクリップ金具で挟持して綴じるタイプのファイルにおいて、該ファイルを縦にして保管する際又は持ち運ぶ際などに、以上のように、左辺で片持ち状態に綴じられたファイル対象紙片がその重量によりその右辺側が垂れ下がり状態に下降し、場合によっては落下するに至る問題を回避できるファイルを提供することを解決の課題とする。
【課題を解決するための手段】
【０００７】
本考案の１は、表表紙、背表紙及び裏表紙からなるファイル本体と、
前記ファイル本体の裏表紙又は表表紙の内面の左辺に配したクリップ金具と、
前記裏表紙内面の右下隅に、該右下隅を構成する右辺の途中と下辺の途中とに両端部を接続して配する帯状支持部材であって、前記クリップ金具で左辺を挟持保持されたファイル対象紙片の右下隅を受け入れて支持する帯状支持部材と、
で構成したファイルである。
【０００８】
本考案の２は、本考案の１のファイルにおいて、
前記帯状支持部材を、裏表紙内面の右下隅における、右辺の途中から立ち上がる脚部と、下辺の途中から立ち上がる脚部と、両脚部の上端から連続する上側支持部とで構成したものである。
【０００９】
本考案の３は、本考案の１のファイルにおいて、
前記帯状支持部材を、裏表紙内面の右下隅における、下辺の途中から立ち上がる脚部と、該脚部の上端から延長し、他端を右辺の途中に接続した上側支持部とで構成したものである。
【００１０】
本考案の４は、本考案の１、２又は３のファイルにおいて、
前記帯状支持部材を透明のプラスチックフィルム又は透明のプラスチックシートで構成したものである。
【考案の効果】
【００１１】
本考案の１のファイルによれば、クリップ金具で左辺を挟持保持されたファイル対象紙片は、その右下隅部分を帯状支持部材の下側に装入することで、その右下隅部分側が該帯状支持部材に支持され、例え、該ファイル対象紙片の量が非常に多い場合であっても、クリップ金具による支持が不十分になって右下がりになったり、場合によってはクリップ金具から外れて落下してしまうような問題を生じる虞がない。
【００１２】
本考案の２のファイルによれば、ファイル対象紙片の量が多い場合でもその右下隅部分を痛めることなく、確実に受け入れて保持することが可能である。
【００１３】
本考案の３のファイルによれば、クリップ金具を表表紙内面の左辺に配し、Ａ３サイズのような大きなサイズのファイル対象紙片を綴じる場合に、その右下隅部分を適切にその帯状支持部材で受け入れ保持することができる。すなわち、この場合は、ファイル対象紙片の記載内容を読んだり見たりする場合は、ファイルの表表紙を完全に開き、ファイル対象紙片を平面状態にしてそれを行うが、保管しておく場合や、いずれかの位置に移動させる場合等は、表表紙を閉じてそれを行うことになる。
【００１４】
そしてこのファイルを閉じると、前記ファイル対象紙片は、その中央部分で二つ折りにされた状態となり、その結果、その右辺は、その外側ほど内側より後退している状態となる。それ故、ファイル対象紙片の右辺の厚さは、事実上、先端になるほど薄くなる結果となる。そこで、本考案の３のファイルによれば、帯状支持部材を、前記のように構成したが故に、そのようなファイル対象紙片の右辺を良好に受け入れ保持することができることとなるものである。
【００１５】
本考案の４のファイルによれば、これに綴じられているファイル対象紙片の記載内容を読み取る場合に、右下隅の帯状支持部材が透明の部材で構成されているため、該ファイル対象紙片をそこから抜き取ることなく読み取ることが可能になる。
【図面の簡単な説明】
【００１６】
【図１】(a)は実施例１のファイルの開いた状態の正面図、(a)は底面図。
【図２】(a)は実施例１のファイルの帯状支持部材部分の拡大底面図、(b)は実施例１のファイルの畳まれた帯状支持部材部分の拡大底面図。
【図３】(a)はＡ４紙片を綴じた状態の実施例１のファイルの開いた状態の正面図、(b)は底面図、(c)はファイルを閉じた状態の底面図。
【図４】(a)は実施例２のファイルの開いた状態の正面図、(a)は底面図。
【図５】(a)はＡ３紙片を綴じた状態の実施例２のファイルの開いた状態の正面図、(b)は底面図、(c)はファイルを閉じた状態の底面図。
【図６】(a)Ａ３紙片の積層状態の底面図、(b)はほぼ中央部分で折り畳んだ状態のＡ３紙片の積層状態の底面図。
【考案を実施するための形態】
【００１７】
考案を実施するための形態を実施例に基づき図面を参照しながら詳細に説明する。
【００１８】
＜実施例１＞
この実施例１のファイルは、図１(a)、(b)及び図３(a)〜(c)に示すように、基本的に、表表紙１ａ、背表紙１ｂ及び裏表紙１ｃからなるファイル本体１と、該ファイル本体１の裏表紙１ｃの内面の左辺中央部に配したレバー式のクリップ金具２と、該裏表紙１ｃの内面の右下隅に配した帯状支持部材３とで構成したものである。
【００１９】
前記ファイル本体１は、前記し、図１(a)、(b)及び図３(a)〜(c)に示すように、相互間に構成したヒンジ部１ｄ、１ｄを介して一体に構成した表表紙１ａ、背表紙１ｂ及び裏表紙１ｃからなる公知の構成の部材であり、通常、厚紙又はプラスチックシートによって構成されている。この実施例１のファイル本体１は、厚紙によって構成した、Ａ４サイズの紙片４、４…を綴じるのに適切なそれを採用した。なお、前記ヒンジ部１ｄ、１ｄは、図１(a)、(b)及び図３(a)〜(c)に示すように、表表紙１ａと背表紙１ｂとの境界、及び背表紙１ｂと裏表紙１ｃとの境界のそれぞれに沿って線状凹部に形成したものであり、言うまでも無く、このヒンジ部１ｄ、１ｄで屈曲できるようになっている。
【００２０】
前記レバー式のクリップ金具２は、図１(a)及び図３(a)に示すように、これも公知の構成のそれを採用したものであり、概括的には、ベース部２ａと、該ベース部２ａの端部に起伏自在に配され、かつ起立方向にバネ部材で付勢されたレバー部２ｂと、ベース部２ａ上に載置されたファイル対象の紙片４、４…の左辺を上方から抑え、ベース部２ａと共に挟持する挟持部材２ｃとで構成した構成要素である。なお、該挟持部材２ｃは、前記レバー部２ｂを起立させると、浮上し、伏状態にすると、下降して、挟持作用を果たすことになる。レバー部２ｂは、その下降状態を、ベース部２ａから立ち上げた側板に構成した係止手段に係止して固定できるようになっている。
【００２１】
前記帯状支持部材３は、前記し、図１(a)、(b)〜図３(a)〜(c)に示すように、裏表紙１ｃの内面の右下隅に配したものであり、帯状の透明プラスチックシートの両端を、右下隅の右辺と下辺とに接続し、右辺の該帯状のプラスチックシートの接続部より下方の部分と、下辺の該帯状のプラスチックシートの接続部より右方の部分と、該帯状のプラスチックシートとで三角形を形成するように構成したものである。更に該帯状支持部材３は、特に図２(a)、(b)に示すように、裏表紙１ｃ内面の右辺及び下辺から立ち上がる部分をそれぞれ脚部３ａ、３ａに構成し、該二つの脚部３ａ、３ａの上端を接続する上側部分を上側支持部３ｂに構成する。該上側支持部３ｂは、単純な帯状の構成とし、両側の脚部３ａ、３ａは、同図に示すように、それぞれその高さ方向中央に折線３ａ１を形成し、紙片４、４…を綴じていない状態では、特に図２(b)に示すように、該折線３ａ１部分で折り畳み状態となるようになっている。ファイル対象の紙片４、４…の右下隅の部分を下方に装入する場合に、図２(a)に示すように、立ち上げ得るようになっている。
【００２２】
従ってこの実施例１のファイルによれば、Ａ４の紙片４、４…のファイリングを良好に行うことができる。すなわち、紙片４、４…を、一般のファイルと同様に、表表紙１ａを開いた上で、その裏表紙１ｃの内面側に配し、図３(a)に示すように、該紙片４、４…の左辺中央部を、該裏表紙１ｃの左辺中央に配したクリップ金具２で挟持保持し、他方、その右辺下部、すなわち、右下隅の部分を前記帯状支持部材３の下に装入してこれによって確実な保持状態とする。
【００２３】
そしてこのように保持状態にすると、該ファイルを、図３(b)、(c)に示すように、表表紙１ａを閉じた上で、どこかに移動するような場合に、該ファイルを縦向きに持ったような場合にも、例え、紙片４、４…の量が多い場合であっても、該紙片４、４…の右下隅が前記帯状支持部材３で支持されているため、その右側が下がってしまったり、場合により、該紙片４、４…全体の脱落が生じてしまうというような問題を生じることはない。
【００２４】
前記レバー式のクリップ金具２の用法は、それ自体が公知の一般の構成要素であり、詳細な説明は省略する。レバー部２ｂを係止手段から外してこれを起立させ、浮上した挟持部材２ｃとベース部２ａとの間に、前記紙片４、４…の左辺中央部を装入し、その後、該レバー部２ｂを伏操作し、挟持部材２ｃとベース部２ａとによる紙片４、４…の左辺挟持状態を作りだし、レバー部２ｂを前記係止手段に係止してその状態を固定する。
【００２５】
この後、前記したように、該紙片４、４…の右下隅を、図３(a)に示すように、前記帯状支持部材３の下に装入する。この帯状支持部材３は、前記したように、両端に脚部３ａ、３ａを配し、該脚部３ａ、３ａには、折れ線３ａ１を構成したため、このファイルが紙片４、４…を綴じていない状態では折りたたみ状態となっているが、上側支持部３ｂを持って引き上げれば、図３(b)に示すように、浮かせることが可能であり、その下に該紙片４、４…の右下隅を滑り込ませることが容易にできる。
【００２６】
該紙片４、４…は、右下隅部分を左斜め上方に押し上げ、該帯状支持部材３の斜め左上に移動させた上で、該帯状支持部材３の上側支持部３ｂを浮かせた状態にすれば、その下方に容易に滑り込ませることができる。
【００２７】
このようにファイルに綴じ込まれた紙片４、４…は、クリップ金具２に片持ち状態に綴じられるので、それのみで保持される場合には、その重量により右下がりになる可能性がある。または、その量が多くなれば、その重量により、該クリップ金具２の保持力では保持しきれなくなり、紙片４、４…の脱落を生じる可能性もある。しかし、この実施例１のファイルでは、前記し、図３(a)〜(c)に示すように、紙片４、４…は、その右下隅の部分を前記帯状支持部材３で保持しているため、左辺と右辺の両側で支持され、確実に保持されることになり、前記のような曲がりや脱落の問題を生じない。
【００２８】
更にこの実施例１のファイルによれば、前記紙片４、４…に記載されている内容を読み取る場合に、右下隅の上に被っている帯状支持部材３の上側支持部３ｂが透明の部材で構成されているため、該紙片４、４…の該当する部分をそこから抜き取るようなことをすることなく、その内容を読み取ることが可能になる。
【００２９】
＜実施例２＞
この実施例２のファイルは、図４(a)、(b)及び図５(a)〜(c)に示すように、基本的に、表表紙１１ａ、背表紙１１ｂ及び裏表紙１１ｃからなるファイル本体１１と、該ファイル本体１１の表表紙１１ａの内面の左辺中央に配したレバー式のクリップ金具１２と、該裏表紙１１ｃの内面の右下隅に配した帯状支持部材１３とで構成したものである。
【００３０】
前記ファイル本体１１は、前記し、図４(a)、(b)及び図５(a)〜(c)に示すように、相互間に構成したヒンジ部１１ｄ、１１ｄを介して一体に構成した表表紙１１ａ、背表紙１１ｂ及び裏表紙１１ｃからなる公知の構成の部材である。この実施例２のファイル本体１１は、実施例１のファイル本体１と同様に、厚紙によって構成したものである。ただし、Ａ３サイズの紙片１４、１４…を綴じるのに適切に構成したものである。前記ヒンジ部１１ｄの構成は、実施例１のファイル本体１のヒンジ部１ｄと全く同様の構成である。
【００３１】
前記クリップ金具１２は、図４(a)及び図５(a)に示すように、これも実施例１のクリップ金具２と全く同様の公知の構成のそれを採用したものであり、同様に、基本的に、ベース部１２ａと、レバー部１２ｂと、挟持部材１２ｃとで構成した構成要素である。当然に同様に操作して同様に機能するようになっている。
【００３２】
前記帯状支持部材１３は、前記し、図４(a)、(b)及び図５(a)〜(c)に示すように、裏表紙１１ｃの内面右下隅に配したものであり、帯状の透明プラスチックシートの両端を、各々右下隅の右辺と下辺とに接続し、右辺の該帯状のプラスチックシートの接続部より下方の部分と、下辺の該帯状のプラスチックシートの接続部より右方の部分と、該帯状のプラスチックシートとで正面視三角形を形成するように構成したものである。
【００３３】
更に該帯状支持部材１３は、特に図４(b)及び図５(b)、(c)に示すように、裏表紙１１ｃ内面の下辺から立ち上がる部分を脚部１３ａに構成し、該脚部１３ａの上端と右辺の前記接続部とを接続する部分を上側支持部１３ｂに構成する。該上側支持部１３ｂは、単純な帯状の構成とし、下辺側に構成した脚部１３ａは、同図に示すように、高さ方向中央に折線を１３ａ１を備え、このファイルが紙片１４、１４…を綴じていない状態では、該折線１３ａ１部分で折り畳み状態となるようになっている。ファイル対象の紙片１４、１４…の右下隅の部分を下方に装入する場合に、図４(b)及び図５(b)に示すように、立ち上げ得るようになっている。
【００３４】
従ってこの実施例２のファイルによれば、実施例１のファイルと異なり、Ａ３の紙片１４、１４…のファイリングを良好に行うことができる。紙片１４、１４…を、一般のファイルと同様に、該ファイルを開いた（表表紙１１ａを開いた）上で、その表表紙１１ａの内面側に配し、図５(a)に示すように、該紙片１４、１４…の横長に配置した状態の左辺中央部を、該表表紙１１ａ内面の左辺中央に配したクリップ金具１２で挟持保持し、他方、その状態のＡ３の紙片１４、１４…の右辺下部、すなわち、右下隅の部分を前記帯状支持部材１３の下方に装入し、これによって保持状態とする。
【００３５】
このように、Ａ３の紙片１４、１４…を、この実施例２のファイルに綴じ込むと、該ファイルを、図５(b)、(c)に示すように、表表紙１１ａを閉じた上で、どこかに移動するような場合に、該ファイルを縦向きに持ったとしても、該紙片１４、１４…の右下隅が前記帯状支持部材１３で支持されているため、該紙片１４、１４…の右側が下がってしまったり、場合により、該紙片１４、１４…全体の脱落が生じてしまうというような問題を生じることはない。
【００３６】
前記クリップ金具１２の用法は、実施例１のクリップ金具２と全く同様である。
【００３７】
前記クリップ金具１２でこのファイル内に横長に配置したＡ３の紙片１４、１４…の左辺を前記クリップ金具１２で挟持保持した後、前記したように、該紙片１４、１４…の右下隅を、図５(a)に示すように、前記帯状支持部材１３の下に装入する。この帯状支持部材１３は、前記したように、下辺側の端部に脚部１３ａを構成し、該脚部１３ａには、折線１３ａ１を構成したため、紙片１４、１４…を綴じていない状態では折り畳み状態となっている。また右辺側の端部には、脚部１３ａが構成されていないので、上側支持部１３ｂの該当する側の端部が直接に右辺側に固定されている。
【００３８】
該帯状支持部材１３は、このような構成であるため、上側支持部１３ｂの一部を掴んで引き上げれば、図４(b)及び図５(b)に示すように、下辺側を高く浮かせることが可能である。該上側支持部１３ｂは、先に述べ、同図に示すように、高く浮いた下辺側から右辺側に向かって徐々に低くなる状態となる。
【００３９】
このような帯状支持部材１３の上側支持部１３ｂの下に、該紙片１４、１４…の右下隅を容易に滑り込ませることができる。該紙片１４、１４…は、右下隅部分を左斜め上方に向かって押し上げ、該帯状支持部材１３の上側支持部１３ｂの斜め左上に移動させた上で、該帯状支持部材１３の上側支持部１３ｂを浮かせた状態にすれば、その下方に容易に滑り込ませることができる。
【００４０】
なお、左辺を前記クリップ金具１２で固定保持した紙片１４、１４…は、図６(a)に示すように、折り畳んでいない状態では、右辺も左辺と同様に、上から下まで同一位置に並んだ状態となっているが、途中で折り畳むと、図６(b)に示すように、固定されていない端部は、内側から外側に向かって端部から徐々に後退した状態となる。
【００４１】
実施例２のファイルは、前記のように、Ａ３の紙片１４、１４…を、左側の表表紙１１ａの内面上から右側の裏表紙１１ｃの内面上に配置し、その左辺を前記クリップ金具１２で挟持状に保持するものであり、それ故、該ファイルを閉じる（表表紙１１ａを閉じる）と、該紙片１４、１４…は、図５(c)に示すように、ほぼ半ばで折り畳まれることになる。図６(b)の場合と同様の状態になり、固定されていない裏表紙１１ｃの右辺側の端部は、内側から外側に向かって徐々に後退した位置関係となる。要するに紙片１４、１４…の集合体としては一定範囲で最右端に向かって徐々に厚さが薄くなる状態となることになる。前記帯状支持部材１３の上側支持部１３ｂの右端側の高さは、これに対応して徐々に低くなるように構成したものである。
【００４２】
この実施例２のファイルの基本的な効果は、実施例１のファイルと同様である。すなわち、このようにファイルに綴じ込まれた紙片１４、１４…は、クリップ金具１２に片持ち状態に綴じられるので、それのみで保持される場合には、その重量により右下がりになる可能性がある。または、その量が多くなれば、その重量により、該クリップ金具１２の保持力では保持しきれなくなり、紙片１４、１４…の脱落を生じる可能性もある。しかし、この実施例２のファイルでは、前記し、図５(a)〜(c)に示すように、紙片１４、１４…は、その右下隅の部分を前記帯状支持部材１３で保持しているため、左辺と右辺の両側で支持され、確実に保持されることになり、前記のような右側が下がってしまう曲がりや、脱落の問題は生じない。
【００４３】
更にこの実施例２のファイルによれば、実施例１のファイルの場合と同様に、前記紙片１４、１４…に記載されている内容を読み取る場合に、右下隅の上に被っている帯状支持部材１３が上側支持部１３ｂも含めて透明の部材で構成されているため、該紙片１４、１４…の該当する部分をそこから抜き取るようなことをすることなく、その内容を読み取ることが可能になる。
【産業上の利用可能性】
【００４４】
本考案のファイルは、文房具の製造業の分野で利用することができる。
【符号の説明】
【００４５】
１    ファイル本体
１ａ  表表紙
１ｂ  背表紙
１ｃ  裏表紙
１ｄ  ヒンジ部
２    クリップ金具
２ａ  ベース部
２ｂ  レバー部
２ｃ  挟持部材
３    帯状支持部材
３ａ  脚部
３ａ１  折線
３ｂ  上側支持部
４    紙片
１１  ファイル本体
１１ａ  表表紙
１１ｂ  背表紙
１１ｃ  裏表紙
１１ｄ  ヒンジ部
１２  レバー式クリップ金具
１２ａ  ベース部
１２ｂ  レバー部
１２ｃ  挟持部材
１３  帯状支持部材
１３ａ  脚部
１３ａ１  折線
１３ｂ  上側支持部
１４  紙片
【図１】
0003178546.tif 000003
【図２】
0003178546.tif 000004
【図３】
0003178546.tif 000005
【図４】
0003178546.tif 000006
【図５】
0003178546.tif 000007
【図６】
0003178546.tif 000008